(57)【特許請求の範囲】
【請求項１】
偏平な底面を有し、一側には排出口が形成された沈殿池と、前記沈殿池の底を往復移動しながら、沈殿されたスラッジを前記排出口に隣接した前記沈殿池の一端部に集めて収集するスラッジコレクターとを具備する沈殿池用スラッジ排出装置において、
前記沈殿池の一端部に配置され、前記スラッジコレクターによって収集された前記スラッジに圧力水を噴射しながら、前記スラッジが前記排出口の方向に移動されるようにするスラッジ移動部と；
前記沈殿池の一端部に設置され、前記スラッジ移動部を通じて前記排出口の方向に移動される前記スラッジが前記排出口の入口を通じて排出されるようにガイドするスラッジガイド部とを含み、
前記スラッジガイド部は、
前記排出口を中心に相互対向して配置された状態で、上下方向に摺動可能に設置される第１遮断板及び第２遮断板と、
前記第１遮断板及び第２遮断板に連結されて、それぞれの前記第１遮断板及び第２遮断板を選択的に上昇または下降させる昇降手段とを含み、
前記昇降手段が前記第１遮断板の下端を前記沈殿池の底面に接触させた状態で、前記第２遮断板の下端は前記沈殿池の底面から離隔されるように上方に位置させたり、前記第２遮断板の下端を前記沈殿池の底面に接触させた状態で、前記第１遮断板の下端が前記沈殿池の底面から離隔されるように上方に位置させて、前記スラッジ移動部を通じて移動される前記スラッジが前記第１遮断板または前記第２遮断板の一側面に沿って前記排出口の入口に移動されるようにガイドされる沈殿池用スラッジ排出装置。
【請求項２】
前記スラッジ移動部は、
ポンプと、
前記ポンプからポンピングされる圧力水を受ける圧力水供給管と、
前記圧力水供給管に連結されて、前記沈殿池の一側端部の底及び側面に配置される圧力水分配管と、
前記圧力水分配管に相互離隔されるように複数形成されて、前記圧力水を前記沈殿池の内部に噴射させる噴射ノズルとを含む請求項１に記載の沈殿池用スラッジ排出装置。
【請求項３】
各前記噴射ノズルのチップ部分は前記圧力水の入口を向けるように配置されて、前記噴射ノズルを通じて噴射される前記圧力水が前記スラッジを前記排出口の方向に移動させるようにする請求項２に記載の沈殿池用スラッジ排出装置。
【請求項４】
偏平な底面を有し、一側には排出口が形成された沈殿池と、前記沈殿池の底を往復移動しながら、沈殿されたスラッジを前記排出口に隣接した前記沈殿池の一端部に集めて収集するスラッジコレクターとを具備する沈殿池用スラッジ排出装置において、
前記沈殿池の一端部に配置され、前記スラッジコレクターによって収集された前記スラッジに圧力水を噴射しながら、前記スラッジが前記排出口の方向に移動されるようにするスラッジ移動部と；
前記沈殿池の一端部に設置され、前記スラッジ移動部を通じて前記排出口の方向に移動される前記スラッジが前記排出口の入口を通じて排出されるようにガイドするスラッジガイド部とを含み、
前記スラッジガイド部は、
前記排出口の垂直上方に所定角度に軸回転可能に設置される回転ガイド板であって、一端が前記沈殿池の底面に接触される場合、他端が前記沈殿池の底面から離隔されるように底面が凹まれてラウンディングされた形状を有する回転ガイド板と、
前記回転ガイド板に連結されて、前記回転ガイド板を選択的に時計回りまたは反時計回りに回転させる回転駆動手段とを含み、
前記回転駆動手段によって前記回転ガイド板の一端が前記沈殿池の底面に接触され、前記回転ガイド板の他端が前記沈殿池の底面から離隔されるようにしたり、前記回転ガイド板の他端が前記沈殿池の底面に接触され、一端が前記沈殿池の底面から離隔されるようにして、前記スラッジ移動部を通じて移動される前記スラッジが前記沈殿池の底面から離隔された前記回転ガイド板の一端または他端の底面に沿って前記排出口に移動されるようにガイドされる沈殿池用スラッジ排出装置。
【発明の詳細な説明】
【技術分野】
【０００１】
本発明は沈殿池用スラッジ排出装置に関するもので、より詳しくは、浄水場または下水処理場などの沈殿池に設置されて、スラッジコレクターによって収集されるスラッジを沈殿池の外部に排出させるようにする沈殿池用スラッジ排出装置に関する。
【背景技術】
【０００２】
一般に、浄水場及び下水処理場には、図１及び図２のように長方形の沈殿池１を具備して、浄水場及び下水処理場に流入される原水に含有されているスラッジを沈殿させる。以後、上記沈殿池の上澄水は、浄水場の場合、越流堰２を通じて濾過池に供給され、下水処理場の場合は有機物浄化過程などを通過した後、河川に放流される。
【０００３】
一方、上記沈殿池１に沈殿されたスラッジ１０は、沈殿池の内部に往復移動可能に設置された交差式またはキャタピラー式スラッジコレクター３、４によって、上澄水排出用越流堰２の反対側に位置したスラッジホッパー５に収集された後、ドレンバルブ８の駆動によって、浄水場の場合は排出水槽に、下水処理場の場合は濃縮槽に排出される。このように、スラッジ排出装置はタイマーによって周期的または手動的にドレンバルブ８を作動させて、ホッパー５にスラッジ１０を吸い込んで排出する構造を有する。
【０００４】
しかし、従来のスラッジ排出装置は、上記ホッパー５に収集されたスラッジ１０がホッパー５の底面に密着されて、ラッパ管９の周辺のスラッジのみが排出され、ラッパ管９の後面と入口から遠い所に位置したスラッジは円滑に排出されず、持続的に積もる現象が発生し、このようなスラッジが腐敗して処理水を悪化させて、悪臭を発生させる。
【０００５】
また、従来のスラッジ排出装置は、上記沈殿池１の底部に上記深いスラッジホッパー５を挿入して形成することから、沈殿池１の構造物の工事が困難であり、上記ホッパー５と連結される排出配管の埋設深さが深くなることによって、自然流下処理のためには、上記沈殿池１と濃縮槽または排出槽との間の標高差が要求されるという問題点が発生する。これを解決するために、機械的にポンプを利用する施設を具備しても、深い埋設深さによって工事費が高くなり、メンテナンスが困難であるという問題点がある。
【発明の概要】
【発明が解決しようとする課題】
【０００６】
本発明は、底部にスラッジを排出するための深い構造のホッパーを形成しないことによって、構造が簡単になり、スラッジが滞積される区域がなしに容易に排出することができる沈殿池用スラッジ排出装置を提供することにその目的がある。
【課題を解決するための手段】
【０００７】
本発明は、偏平な底面を有し、一側には排出口が形成された沈殿池と、前記沈殿池の底を往復移動しながら、沈殿されたスラッジを前記排出口に隣接した前記沈殿池の一端部に集めて収集するスラッジコレクターとを具備する沈殿池用スラッジ排出装置において、前記沈殿池の一端部に配置され、前記スラッジコレクターによって収集された前記スラッジに圧力水を噴射しながら、前記スラッジが前記排出口の方向に移動されるようにするスラッジ移動部と、前記沈殿池の一側端部に設置され、前記スラッジ移動部を通じて前記排出口の方向に移動される前記スラッジが前記排出口の入口を通じて排出されるようにガイドするスラッジガイド部とを含む沈殿池用スラッジ排出装置を提供する。
【０００８】
また、前記スラッジ移動部は、ポンプと、前記ポンプからポンピングされる圧力水を受ける圧力水供給管と、前記圧力水供給管に連結されて、前記沈殿池の一側端部の底に配置される圧力水分配管と、前記圧力水分配管に相互離隔されるように複数形成されて、前記圧力水を前記沈殿池の内部に噴射させる噴射ノズルとを含むことができる。
【０００９】
また、各前記噴射ノズルのチップ部分は前記圧力水の入口を向けるように配置されて、前記噴射ノズルを通じて噴射される前記圧力水が前記スラッジを前記排出口方向に移動されるようにすることができる。
【００１０】
また、前記スラッジガイド部は、前記排出口の垂直上方に軸回転可能に設置され、底面が凹まれてラウンディングされた形状を有する回転ガイド板と、前記回転ガイド板に連結されて、前記回転ガイド板を選択的に時計回りまたは反時計回りに回転させる回転駆動手段とを含み、前記回転駆動手段によって、前記回転ガイド板の一端が前記沈殿池の底面に接触された状態で、他端を前記沈殿池の底面から離隔されるように上方に位置させたり、前記回転ガイド板の他端が前記沈殿池の底面に接触された状態で、一端を前記沈殿池の底面から離隔させるように上方に位置されるようにして、前記スラッジ移動部を通じて移動される前記スラッジが前記回転ガイド板の底面に沿って前記排出口の入口に移動されるようにガイドされることができる。
【００１１】
また、前記スラッジガイド部は、前記排出口を中心に相互対向して配置された状態で上下方向に摺動可能に設置される第１遮断板及び第２遮断板と、前記第１遮断板及び第２遮断板に連結されて、それぞれの前記第１遮断板及び第２遮断板を選択的に上昇または下降させる昇降手段とを含み、前記昇降手段が前記第１遮断板の下端を前記沈殿池の底面に接触させた状態で、前記第２遮断板の下端は前記沈殿池の底面から離隔されるように上方に位置させるようにしたり、前記第２遮断板の下端を前記沈殿池の底面に接触させた状態で、前記第１遮断板の下端が前記沈殿池の底面から離隔されるように上方に位置させて、前記スラッジ移動部を通じて移動される前記スラッジが前記第１遮断板または前記第２遮断板の一側面に沿って前記排出口の入口に移動されるようにガイドされることできる。
【発明の効果】
【００１２】
本発明による沈殿池用スラッジ排出装置は、スラッジコレクターによって沈殿池の一端部の底面にスラッジが収集されると、スラッジ移動部から噴射される圧力水によってスラッジを沈殿池の排出口の方向に移動させる。この時、移動されるスラッジはスラッジガイド部によって排出口の入口に移動されるようにガイドされ、これによって、スラッジを容易で、且つ正確に排出させることができる。
【図面の簡単な説明】
【００１３】
【図１】従来の沈殿池を概略的に示した平面図である。
【図２】図１の側断面図である。
【図３】本発明の一実施例による沈殿池用スラッジ排出装置の設置状態の平面図である。
【図４】図３の側断面図である。
【図５】図３に示したスラッジガイド部の一実施例による構成断面図である。
【図６】図３に示したスラッジガイド部の他の実施例による構成断面図である。
【発明を実施するための形態】
【００１４】
以下、添付された図面を通じて本発明の好ましい実施例を詳しく説明する。
【００１５】
図３は本発明の一実施例による沈殿池用スラッジ排出装置の設置状態の平面図であり、図４は図３の側断面図である。図３及び図４によれば、上記沈殿池用スラッジ排出装置は、スラッジ移動部１００と、スラッジガイド部２００とを具備して、一側には沈殿されるスラッジを排出することができるように排出口１１が形成された状態で偏平な底面を有する沈殿池１０に設置される。この時、上記沈殿池１０の底面を偏平に形成することによって、従来のような深さの深いホッパー（図示しない）による関連配管の埋設深さが深くなることによって生じる施工費の増加を抑制することができる。ここで、上記沈殿池１０には、底部で往復移動可能に設置されて、沈殿された上記スラッジを上記排出口１１が形成された一側に隣接した上記沈殿池１０の一側端部、即ち図４の左側端部に押す交差式またはキャタピラー式スラッジコレクター２０を具備する。ここで、上記沈殿池１０には上記排出口１１を通じる上記スラッジの吸入及び排出が容易になるように、ドレンバルブやポンプ（図示しない）などを上記排出口１１に連結設置することができる。
【００１６】
上記スラッジ移動部１００は上記スラッジコレクター２０によって上記沈殿池１０の一側端部に収集された上記スラッジを上記排出口１１の方向に移動させる。このように、上記スラッジ移動部１００は上記沈殿池１０の一側端部に配置された状態で、上記スラッジが上記排出口１１の方向に移動されるように圧力水を噴射する。ここで、上記スラッジ移動部１００はポンプ１１０と、圧力水供給管１２０と、圧力水分配管１３０と、噴射ノズル１４０とを含む。
【００１７】
上記ポンプ１１０は上記スラッジを上記排出口１１の方向に移動することができるように圧力水を発生させる。ここで、上記ポンプ１１０によって圧力水になる流体は外部から流入されるか、上記沈殿池１０の上澄水を用いることができる。このように、上記ポンプ１１０は上記沈殿池１０の外部に設置されたり、上記沈殿池１０の内部に昇降可能に設置されることができる。
【００１８】
上記圧力水供給管１２０は上記ポンプ１１０から発生される圧力水を受ける連結配管である。このように、上記圧力水供給管１２０は上記ポンプ１１０と上記圧力水分配管１３０とを連結する。
【００１９】
上記圧力水分配管１３０は上記圧力水供給管１２０を通じて伝達される上記圧力水を上記沈殿池１０の内部で均一に噴射されることができるように複数の分割された管構造を有する。このように、上記圧力水分配管１３０は上記圧力水供給管１２０に連結された状態で上記沈殿池１０の一側端部の底及び側面に配置される。ここで、上記圧力水分配管１３０は上記沈殿池１０の底面または側面に接するように設置されたり、上記沈殿池１０の底面または側面内部に埋設された状態で以後説明される上記噴射ノズル１４０のチップ部分のみが上記沈殿池１０の内部に突出されるように設置することもできる。また、図３のように、上記圧力水分配管１３０は上記排出口１１を中心に一側に配置されるように、上記沈殿池１０の一側端部の底及び側面に設置したり、両側に配置されるように上記沈殿池１０の一側端部の底及び側面に設置することもできる。
【００２０】
上記噴射ノズル１４０は上記圧力水分配管１３０に流入された上記圧力水を上記沈殿池１０の内部で上記排出口１１方向に噴射排出されるようにする。このように、上記噴射ノズル１４０は上記圧力水分配管１３０に相互離隔されるように複数形成される。この時、上記噴射ノズル１４０のチップ部分は噴射排出される上記圧力水が上記スラッジを上記排出口１１の方向に移動させることができるように上記排出口１１の入口方向に向かって形成される。
【００２１】
上記スラッジガイド２００は上記スラッジ移動部１００を通じて上記排出口１１の方向に移動される上記スラッジが上記排出口１１の入口を通じて正確に排出されることができるようにする。即ち、上記スラッジガイド２００は上記沈殿池１０の一側端部に上記スラッジコレクター２０を通じて収集された後、上記スラッジ移動部１００の圧力水の噴射によって移動される上記スラッジが上記排出口１１を通じて排出されることができるようにガイドする。図５によれば、上記スラッジガイド２００は上記沈殿池１０の一側端部に設置され、回転ガイド板２１０と回転駆動手段２２０とを含む。
【００２２】
ここで、上記回転ガイド板２１０は底面が凹まれてラウンディングされた形状を有する板部材である。このように、上記回転ガイド板２１０の底面に上記スラッジ移動部１００によって移動される上記スラッジがガイドされた状態で、上記排出口１１を通じて排出される。ここで、上記回転ガイド板２１０は上記排出口１１の垂直上方に配置された状態で、上記沈殿池１０の内側に軸回転可能に設置される。
【００２３】
上記回転駆動手段２２０は上記回転ガイド板２１０に連結設置される。このように、上記回転駆動手段２２０は上記回転ガイド板２１０を選択的に時計回りまたは反時計回りに所定角度に回転させる。この時、上記回転駆動手段２２０は上記回転ガイド板２１０の各端部が上記沈殿池１０の底面に接触されるまで上記回転ガイド板２１０を時計回りまたは反時計回りに軸回転させる。ここで、上記回転駆動手段２２０はモーターを用い、上記回転駆動手段２２０の回転軸は上記回転ガイド板２１０の軸部分とギアやチェーンを通じて連結された状態で回転駆動力を伝達する。
【００２４】
このように、上記回転駆動手段２２０によって上記回転ガイド板２１０を選択的に時計回りまたは反時計回りに軸回転させながら、上記回転ガイド板２１０の一端が上記沈殿池１０の底面に接触された状態で他端は上記沈殿池１０の底面から離隔されるように上方に位置したり、上記回転ガイド板２１０の他端が上記沈殿池１０の底面に接触された状態で一側端部は上記沈殿池１０の底面から離隔されるように上方に位置される。従って、上記回転ガイド板２１０と上記沈殿池１０の底面との間を通じて上記スラッジ移動部１００による上記スラッジが移動された後、上記回転ガイド板２１０の底面に沿って上記排出口１１の入口に移動されることができる。
【００２５】
図６は他の実施例によるスラッジガイド部２１０の概略設置状態の断面図である。このように、他の実施例の上記スラッジガイド部２０１は第１遮断板２０２及び第２遮断板２０３、昇降手段２０４を含む。
【００２６】
ここで、上記第１遮断板２０２及び第２遮断板２０３は、上記沈殿池１０の一端部に上下方向に摺動可能に設置される。この時、上記第１遮断板２０２及び第２遮断板２０３は上記沈殿池１０の排出口１１を中心に相互対向して配置される。従って、上記第１遮断板２０２または上記第２遮断板２０３の各一側面に上記スラッジ移動部１００によって移動される上記スラッジがガイドされた状態で、上記排出口１１を通じて排出される。ここで、上記第１遮断板２０２及び第２遮断板２０３は偏平形状を有することを示したが、これに限定されず、上記スラッジを上記排出口１１に容易にガイドすることができるようにラウンド形状に形成することもできる。また、上記第１遮断板２０２及び第２遮断板２０３の上端部には垂直されるように補助遮断板（図示しない）を延長形成することもできる。このように、上記補助遮断板は上記スラッジ移動部１００による上記スラッジが上記排出口１１の方向に移動する時、上記第１遮断板２０２及び第２遮断板２０３の一側面に沿って上方に離脱されることを防止する。
【００２７】
上記昇降手段２０４は上記第１遮断板２０２及び第２遮断板２０３に連結されて、それぞれの上記第１遮断板２０２及び第２遮断板２０３を選択的に上昇または下降させる。ここで、上記昇降手段２０３はシリンダーを用いることが好ましいが、これに限定されず、公知の昇降手段を選択して適用することができる。
【００２８】
このように、上記昇降手段２０４が上記第１遮断板２０２の下端を上記沈殿池１０の底面に接触させた状態で、上記第２遮断板２０３の下端を上記沈殿池１０の底面から離隔されるように上方に位置させて、上記第１遮断板２０２の一側面を通じて上記スラッジ移動部１００によって移動される上記スラッジがガイドされながら上記排出口１１の入口に移動されることができる。反対に、上記昇降手段２０４が上記第２遮断板２０３の下端を上記沈殿池１０の底面に接触させた状態で、上記第１遮断板２０２の下端を上記沈殿池１０の底面から離隔されるように上方に位置させて、上記第２遮断板２０３の一側面を通じて上記スラッジ移動部１００によって移動される上記スラッジがガイドされながら上記排出口１１の入口に移動されることができる。
【００２９】
また、一実施例による上記沈殿池用スラッジ排出装置は、上記スラッジ移動部１００及び上記スラッジガイド部２００と連結されて、上記スラッジ移動部１００による上記沈殿池１０への圧力水の噴射量及び噴射強度を調節するとともに、上記スラッジガイド部２００の回転ガイド板２１０または上記第１遮断板２０２及び第２遮断板２０３の動作を制御する制御部（図しない）を具備することもできる。
【００３０】
このように構成される一実施例による上記沈殿池用スラッジ排出装置のスラッジ排出動作を図３〜図６を通じて説明すれば次の通りである。
【００３１】
まず、所定時間が経過して上記沈殿池１０の底面にスラッジが積もると、上記スラッジコレクター２０が上記スラッジを集めて上記沈殿池１０の一側端部に収集される。このように、上記スラッジが上記沈殿池１０の一側端部の底面に収集されると、上記スラッジ移動部１００から上記スラッジに圧力水を噴射して、上記スラッジを上記沈殿池１０の排出口１１に移動させる。即ち、上記ポンプ１１０によってポンピングされる圧力水が上記圧力水供給管１２０から上記圧力水分配管１３０に分配された後、上記圧力水分配管１３０の各噴射ノズル１４０を通じて噴射されながら、上記沈殿池１０の一側端部の底面にある上記スラッジを上記排出口１１方向に移動させる。
【００３２】
これと同時に、上記スラッジガイド部２００が作動しながら、上記スラッジ移動部１００によって移動される上記スラッジを上記沈殿池１０の排出口１１を通じて正確に排出させる。即ち、上記スラッジガイド部２００の回転ガイド板２１０が上記回転駆動手段２２０によって選択的に時計回りまたは反時計回りに軸回転して、上記回転ガイド板２１０の端部が上記沈殿池１０の底面に接触された状態になると、上記スラッジは上記回転ガイド板２１０のラウンディングされた底面に沿って上記排出口１１の入口に移動した後、排出される。または、他の実施例による上記スラッジガイド部２０１の第１遮断板２０２及び第２遮断板２０３の中の何れか１つの下端を上記昇降手段２０４で上記沈殿池１０の底面に接触させた後、上記第１遮断板２０２または上記第２遮断板２０３の一側面に沿って上記排出口１１の入口に移動した後、排出される。
【００３３】
このように、一実施例の上記沈殿池用スラッジ排出装置は、上記スラッジコレクター２０によって上記沈殿池１０の一側端部の底面にスラッジが収集されると、上記スラッジ移動部１００から噴射される圧力水によって上記スラッジを上記沈殿池１０の排出口１１の方向に移動させる。この時、移動される上記スラッジは上記スラッジガイド部２００によって上記排出口１１の入口に移動されるようにガイドされることによって、上記スラッジを容易で、且つ正確に排出させることができる。
【００３４】
本発明は図面に示した実施例を通じて説明されたが、これは例示的に示したものに過ぎず、本技術分野において通常の知識を有する者であれば多様な変形及び均等な他の実施例が可能であるという点を理解すべきである。従って、本発明の真の技術的保護範囲は添付された特許請求の範囲の技術的思想によって定められるべきである。
【図１】
0005933574.tif 000002
【図２】
0005933574.tif 000003
【図３】
0005933574.tif 000004
【図４】
0005933574.tif 000005
【図５】
0005933574.tif 000006
【図６】
0005933574.tif 000007